Podtech/llm-jp-corpus-v4-ja_patent huggingface dataset:
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
カラー画像を表示する方法であって、
ａ）ディスプレイのカラーギャマットを定義する少なくとも３つの狭帯域の発光源を有するカラー画像の表示装置を提供するステップと、
ｂ）前記ディスプレイのカラーギャマットよりもエリアにおいて小さいオリジナルのカラーギャマット内で定義される入力のカラー画像のデータ値を受けるステップと、
ｃ）拡張された色度のレンジを有するディスプレイのカラーギャマットのデータ値に前記入力のカラー画像のデータ値を変換するステップと、前記拡張された色度のレンジの少なくとも１部は前記オリジナルのカラーギャマットの外にあり、前記ディスプレイのカラーギャマットの少なくとも１部は、前記拡張された色度のレンジの外にあり、
ｄ）前記カラー画像を形成するため、前記カラー画像の表示装置に前記ディスプレイのカラーギャマットのデータ値を提供するステップと、
を有する方法。
【請求項２】
入力のカラー画像のデータ値をディスプレイのカラーギャマットのデータ値に変換するステップは、第一の入力のカラー画像のデータ値について、ホワイトポイントからの第一の色度の距離にあり、第一のディスプレイのカラーギャマットのデータ値に変換され、第二の入力のカラー画像のデータ値について、ホワイトポイントからの第二の色度の距離にあり、第二のディスプレイのカラーギャマットのデータ値に変換されるように、表示される色の飽和において単調増加を生じ、
前記第二の色度の距離は、前記第一の色度の距離を超え、
前記第二の入力のカラー画像のデータ値に関する前記第二のディスプレイのカラーギャマットのデータ値の表示される色の飽和における増加は、前記第一の入力のカラー画像のデータ値に関する前記第一のディスプレイのカラーギャマットのデータ値の表示される色の飽和における増加を超える、
請求項１記載の方法。
【請求項３】
画素のアレイとして画像を形成する表示装置であって、
ａ）５００ｎｍと５５０ｎｍのレンジにおける波長であって、最大の出力への暗い閾値からのレンジにわたり変調される緑の光を放出するレーザと、
ｂ）それぞれのレーザが画素を形成するプライマリカラーとしての役割を果たし、制御信号に従って変調される少なくとも２つの他のレーザと、当該表示装置は、任意の画素について、緑のレーザ光がその最大の出力の２０％を超えるレベルで変調され、２つの他のレーザのうちの少なくとも１つからの光がその暗い閾値を超えるレベルで変調されるように画像を表示し、
ｃ）ｉ）少なくとも３つのレーザにより定義されるディスプレイのカラーギャマットよりもエリアにおいて小さいオリジナルのカラーギャマット内で定義される入力画像のデータ値を受け、ｉｉ）前記入力画像のデータ値を、前記ディスプレイのカラーギャマット内に境界付けされる拡張された画像の色度のレンジを有するディスプレイのカラーギャマットのデータ値に変換し、前記ディスプレイのカラーギャマットの一部は、前記ディスプレイのカラーギャマットのデータ値の拡張された画像の色度のレンジの外にあり、前記ディスプレイのカラーギャマットのデータ値の前記拡張された画像の色度のレンジの一部は、前記オリジナルのカラーギャマットの外にあり、ｉｉｉ）１以上のレーザからの光を前記ディスプレイのカラーギャマットのデータ値に従って変調する、画像形成制御論理プロセッサと、
を有する表示装置。
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
基板と、
基板に支持された光電池と、
基板と光電池との間のディスプレイと、を備える物品であって、
ディスプレイが透明または半透明であるとき、光はディスプレイを通過し、光電池と相互作用して電気を発生し、
光電池の発生した電気はディスプレイへ輸送されてディスプレイを光に対して不透明とし、
ディスプレイが不透明であるとき、ディスプレイは光が光電池へ到達することを阻止して、光電池による電気の発生を停止させる物品。
【請求項２】
物品は可撓性である請求項１に記載の物品。
【請求項３】
厚さは約５ｍｍ以下である請求項１に記載の物品。
【請求項４】
ディスプレイは、宣伝物、新聞、名刺、雑誌または書籍のうちの少なくとも一部を含む請求項１に記載の物品。
【請求項５】
ディスプレイは、固定の画像、広告、パターン、文字またはロゴを示すように構成されている請求項１に記載の物品。
【請求項６】
ディスプレイは、アニメーションの画像、広告、パターン、文字またはロゴを示すように構成されている請求項１に記載の物品。
【請求項７】
ディスプレイはパッシブマトリクスを含む請求項１に記載の物品。
【請求項８】
ディスプレイは電気泳動ディスプレイまたはエレクトロクロミックディスプレイを含む請求項１に記載の物品。
【請求項９】
光活性層は電子供与性材料および電子受容性材料を含む請求項１に記載の物品。
【請求項１０】
電子受容性材料は、フラーレン、無機ナノ粒子、オキサジアゾール、ディスコティック液晶、カーボンナノロッド、無機ナノロッド、ＣＮ基含有ポリマー、ＣＦ３基含有ポリマーおよびそれらの組み合わせから選択された材料を含む請求項９に記載の物品。
【請求項１１】
電子受容性材料は置換フラーレンを含む請求項１０に記載の物品。
【請求項１２】
電子供与性材料は、ディスコティック液晶、ポリチオフェン、ポリフェニレン、ポリフェニルビニレン、ポリシラン、ポリチエニルビニレンおよびポリイソチアナフタレンから選択された材料を含む請求項９に記載の物品。
【請求項１３】
電子供与性材料はポリ（３−ヘキシルチオフェン）を含む請求項９に記載の物品。
【請求項１４】
光電池は光活性層と２つの電極のうちの一方との間にホールブロック層を含む請求項１に記載の物品。
【請求項１５】
ホールブロック層は、ＬｉＦ、金属酸化物およびそれらの組み合わせから選択された材料を含む請求項１４に記載の物品。
【請求項１６】
光電池は光活性層と２つの電極のうちの一方との間にホールキャリア層を含む請求項１に記載の物品。
【請求項１７】
ホールキャリア層は、ポリチオフェン、ポリアニリン、ポリビニルカルバゾール、ポリフェニレン、ポリフェニルビニレン、ポリシラン、ポリチエニレンビニレン、ポリイソチアナフタレンおよびそれらの組み合わせから選択された材料を含む請求項１６に記載の物品。
【請求項１８】
ディスプレイの動作用の追加の電源または電子デバイスを必要としないように構成されている請求項１に記載の物品。
【請求項１９】
使用中にディスプレイが明滅するように構成されている請求項１に記載の物品。
【請求項２０】
使用中にディスプレイの電気的な状態を変化させることによってディスプレイを明滅させる請求項１に記載の物品。
【請求項２１】
ディスプレイと光電池とを備える物品を提供する工程と、
光にディスプレイを通過させ、光を光電池と相互作用させて電気を発生させる工程と、
電気をディスプレイへ輸送し、ディスプレイを光に対して不透明とする工程と、
不透明となったディスプレイを用いて、光が光電池へ到達することを阻止し、光電池による電気の発生を停止させる工程と、からなる方法。
【請求項２２】
ディスプレイの電気的な状態を変化させる工程によって、ディスプレイを透明または半透明から不透明へ変化させる請求項２１に記載の方法。
【請求項２３】
ディスプレイの電気的な状態を変化させる工程によって、ディスプレイを不透明から透明または半透明へ変化させる請求項２２に記載の方法。
【請求項２４】
ディスプレイの電気的な状態を変化させる工程によって、ディスプレイを不透明から透明または半透明へ変化させる請求項２１に記載の方法。
【請求項２５】
物品はディスプレイの動作用の追加の電源または電子デバイスを必要としないように構成されている請求項２１に記載の方法。
【請求項２６】
ディスプレイは動作中に明滅する請求項２１に記載の方法。
【請求項２７】
ディスプレイの電気的な状態を変化させる工程によってディスプレイを明滅させる請求項２１に記載の方法。
【請求項２８】
光電池からディスプレイへの電気の輸送を停止して、ディスプレイを光に対して透明または半透明とする工程を含む請求項２１に記載の方法。
【請求項２９】
光にディスプレイを通過させ、光を光電池と相互作用させて電気を供給する工程と、
電気をディスプレイへ輸送し、ディスプレイを光に対して不透明とする工程と、を含む請求項２８に記載の方法。
【請求項３０】
ディスプレイを明滅させる請求項２１に記載の方法。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
空間情報信号及びダウンミックス信号を受信する段階と、
前記空間情報信号に含まれたタイムスロットの数及びパラメータの数を用いてタイムスロットの位置情報を獲得する段階と、
前記タイムスロットの位置情報に基づいて、前記空間情報信号を前記ダウンミックス信号に適用して多チャネルオーディオ信号を生成する段階と、
前記多チャネルオーディオ信号に対する配列を行う段階と、
を備えることを特徴とする、オーディオ信号デコーディング方法。
【請求項２】
前記タイムスロットの位置情報は、可変的ビット数で表されることを特徴とする、請求項１に記載のオーディオ信号デコーディング方法。
【請求項３】
前記位置情報は、初期値及び差分値を含み、前記初期値は、１番目のパラメータが適用されるタイムスロットの前記位置情報を表し、前記差分値は、２番目以降のパラメータが適用されるタイムスロットの前記位置情報を表すことを特徴とする、請求項２に記載のオーディオ信号デコーディング方法。
【請求項４】
前記初期値は、前記タイムスロットの数及び前記パラメータの数のうち少なくとも一つを用いて決定される可変ビットで表されることを特徴とする、請求項３に記載のオーディオ信号デコーディング方法。
【請求項５】
前記差分値は、前記タイムスロットの数、前記パラメータの数及び以前パラメータが適用されるタイムスロットの位置情報のうち少なくとも一つを用いて決定される可変的ビット数で表されることを特徴とする、請求項３に記載のオーディオ信号デコーディング方法。
【請求項６】
あらかじめ定められた方式で、前記ダウンミックス信号に対する配列を行う段階をさらに備えることを特徴とする、請求項１に記載のオーディオ信号デコーディング方法。
【請求項７】
前記空間情報信号にヘッダが含まれた場合、前記ヘッダから抽出した環境設定情報に含まれたオーディオ信号配列情報を用いて前記ダウンミックス信号に対する配列を行う段階が実行されることを特徴とする、請求項６に記載のオーディオ信号デコーディング方法。
【請求項８】
前記多チャネルをスピーカーの位置にマッピングする段階をさらに備える請求項１に記載のオーディオ信号デコーディング方法。
【請求項９】
空間情報信号及びダウンミックス信号を受信する受信部と、
前記タイムスロットの位置情報に基づいて、前記空間情報信号を前記ダウンミックス信号に適用して多チャネルオーディオ信号を生成し、前記空間情報信号に含まれたタイムスロットの数及びパラメータの数を用いてタイムスロットの位置情報を獲得する多チャネル生成部と、
前記多チャネルオーディオ信号に対する配列を行う信号配列部と、
を備えることを特徴とする、オーディオ信号デコーディング装置。
【請求項１０】
前記タイムスロットの前記位置情報は、可変ビット数で表わされることを特徴とする、請求項９に記載のオーディオ信号デコーディング装置。
【請求項１１】
前記位置情報は、初期値及び差分値を含み、前記初期値は、１番目のパラメータが適用される前記タイムスロットの前記位置情報を表し、前記差分値は、２番目以降のパラメータが適用される前記タイムスロットの前記位置情報を表すことを特徴とする、請求項１０に記載のオーディオ信号デコーディング装置。
【請求項１２】
前記初期値は、前記タイムスロットの数及び前記パラメータの数のうち少なくとも一つを用いて決定される可変ビットで表されることを特徴とする、請求項１１に記載のオーディオ信号デコーディング装置。
【請求項１３】
前記差分値は、前記タイムスロットの数、前記パラメータの数及び以前パラメータが適用されるタイムスロットの位置情報のうち少なくとも一つを用いて決定される可変的ビット数で表されることを特徴とする、請求項１１に記載のオーディオ信号デコーディング装置。
【請求項１４】
前記信号配列部は、あらかじめ定められた方式で、前記ダウンミックス信号に対する配列を行うことを特徴とする、請求項９に記載のオーディオ信号デコーディング装置。
【請求項１５】
前記信号配列部は、前記空間情報信号にヘッダが含まれた場合、前記ヘッダから抽出した環境設定情報に含まれたオーディオ信号配列情報を用いて前記多チャネルオーディオ信号に対する配列を行うことを特徴とする、請求項１４に記載のオーディオ信号デコーディング装置。
【請求項１６】
前記多チャネルをスピーカーの位置にマッピングするスピーカーマッピング部をさらに備える請求項９に記載のオーディオ信号デコーディング装置。
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
オーディオディスクリプターを含むオーディオ信号を受信する段階と、
前記オーディオディスクリプターを用いて、前記オーディオ信号がダウンミックス信号及び空間情報信号を含むか否かを認識する段階と、
もし前記オーディオ信号が前記ダウンミックス信号及び前記空間情報信号を含む場合、前記空間情報信号を用いて、多チャネルオーディオ信号に前記ダウンミックス信号をアップミキシングする段階と、
前記多チャネルオーディオ信号を、出力チャネルにマッピングする段階と、
を備えることを特徴とする、オーディオ信号デコーディング方法。
【請求項２】
前記空間情報信号に前記ヘッダが含まれている場合、前記ダウンミックス信号をアップミキシングする段階が、前記ヘッダに含まれた環境設定情報を用いて実行されることを特徴とする、請求項１に記載のオーディオ信号デコーディング方法。
【請求項３】
前記ヘッダが以前に抽出したヘッダと異なると、ヘッダにエラーが発生したことを感知する段階をさらに含むことを特徴とする、請求項２に記載のオーディオ信号デコーディング方法。
【請求項４】
前記空間情報信号に前記ヘッダが含まれていない場合、前記ダウンミックス信号をアップミキシングする段階が、以前に抽出した環境設定情報を用いて実行されることを特徴とする、請求項１に記載のオーディオ信号デコーディング方法。
【請求項５】
前記マッピングする段階は、
前記空間情報信号にヘッダが含まれている場合、前記ヘッダに含まれた環境設定情報から抽出されたオーディオ信号マッピング情報を用いて行われることを特徴とする、請求項１に記載のオーディオ信号デコーディング方法。
【請求項６】
前記オーディオディスクリプターは、前記オーディオ信号の伝送率、チャネル数、サンプリング周波数およびオーディオコーデック情報を含むことを特徴とする、請求項１に記載のオーディオ信号デコーディング方法。
【請求項７】
前記ダウンミックス信号がヘッダを有しない場合、前記オーディオディスクリプターに基づいて前記ダウンミックス信号を復号化する段階を備えることを特徴とする、請求項１に記載のオーディオ信号デコーディング方法。
【請求項８】
オーディオディスクリプターを含むオーディオ信号を受信する受信部と、
前記オーディオディスクリプターを用いて、前記オーディオ信号がダウンミックス信号及び空間情報信号を含むか否かを認識する逆多重化部と、
もし前記オーディオ信号が前記ダウンミックス信号及び前記空間情報信号を含む場合、前記空間情報信号を用いて、多チャネルオーディオ信号に前記ダウンミックス信号をアップミキシングするマルチチャネル生成部と、
前記多チャネルオーディオ信号を、出力チャネルにマッピングするスピーカーマッピング部と、
を備えることを特徴とする、オーディオ信号デコーディング装置。
【請求項９】
前記空間情報信号に前記ヘッダが含まれている場合、前記マルチチャネル生成部による前記ダウンミックス信号のアップミキシングが、前記ヘッダに含まれた環境設定情報を用いて実行されることを特徴とする、請求項８に記載のオーディオ信号デコーディング装置。
【請求項１０】
前記オーディオディスクリプターは、前記オーディオ信号の伝送率、チャネル数、サンプリング周波数およびオーディオコーデック情報を含むことを特徴とする、請求項８に記載のオーディオ信号デコーディング装置。
【請求項１１】
前記ダウンミックス信号がヘッダを有しない場合、前記オーディオディスクリプターに基づいて前記ダウンミックス信号を復号化するコアデコーディング部を備えることを特徴とする、請求項８に記載のオーディオ信号デコーディング装置。
【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
食用の、透明な、フレーバー油が高負荷された、熱力学的に安定なマイクロエマルションであって、
ａ）少なくとも１０質量％のフレーバー油；
ｂ）６〜１８である親水-親油平衡、ＨＬＢを有する１０〜３０質量％の界面活性剤系；
ｃ）水及び／又は水溶性共溶媒で形成された親水相；
ｄ）任意に、食品マイクロエマルションにおける一般的な用途のビタミン、酸化防止剤又は他の添加剤を含み、
前記界面活性剤系は脂肪酸の糖エステルとレシチンとの組合せであることを特徴とする、食用の、透明な、フレーバー油が高負荷された、熱力学的に安定なマイクロエマルション。
【請求項２】
前記フレーバー油の質量が、マイクロエマルションの質量の少なくとも２０％、さらに有利には２５％を超えることを特徴とする、請求項１記載のマイクロエマルション。
【請求項３】
前記糖エステルがエマルションの質量に対して、２５質量％を超えない量で存在することを特徴とする、請求項１又は２記載のマイクロエマルション。
【請求項４】
前記レシチンがマイクロエマルションの全質量に対して、０．５〜１０質量％の量で存在し、有利には０．５〜５質量％の量で存在することを特徴とする、請求項１から３までのいずれか1項記載のマイクロエマルション。
【請求項５】
前記共溶媒が少なくとも２つのヒドロキシル基を有するポリアルコールであることを特徴とする、請求項１から４までのいずれか１項記載のマイクロエマルション。
【請求項６】
前記水溶性共溶媒の含有率がマイクロエマルションの質量に対して、３０質量％以上であることを特徴とする、請求項１から５までのいずれか１項記載のマイクロエマルション。
【請求項７】
食用の、透明な、フレーバー油が高負荷された、熱力学的に安定なマイクロエマルションであって、
ａ）少なくとも１０質量％のフレーバー油；
ｂ）脂肪酸の糖エステルとレシチンとの組合せである１０〜３０質量％の界面活性剤系；
ｃ）１：２〜２：１である相対的な質量％比において、水及びプロピレングリコール又はグリセロールで形成された親水相；及び
ｄ）任意に、食品マイクロエマルションにおける一般的な用途のビタミン、酸化防止剤又は他の添加剤を含むことを特徴とする、食用の、透明な、フレーバー油が高負荷された、熱力学的に安定なマイクロエマルション。
【請求項８】
前記レシチンの量がマイクロエマルションの質量に対して、０．５〜５質量％含まれ、前記糖エステルがマイクロエマルションの質量に対して、５〜２５質量％である量で存在することを特徴とする、請求項７記載のマイクロエマルション。
【請求項９】
請求項１から８までのいずれか１項記載のマイクロエマルションを含むことを特徴とする、透明飲料。
【請求項１０】
香味料組成物又は香味付けられた製品の官能的特性を、付与、改良、強化又は改質するための請求項１から９までのいずれか１項記載のマイクロエマルションの使用において、前記マイクロエマルションをフレーバーキャリヤーとして前記組成物又は製品に添加することを含むことを特徴とする、香味料組成物又は香味付けられた製品の官能的特性を、付与、改良、強化又は改質するための使用。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
６８０未満のアミノ酸もしくは模倣体の単離精製ペプチドであって、該ペプチドが、Ｅ．ｃｏｌｉの配列ＩＤ番号（ＳＥＱ  ＩＤ  ＮＯ）：１４を有するＥＦ−Ｇのアミノ酸６７１〜７０３に対応している天然起源延長因子−Ｇ（ＥＦ−Ｇ）の３３アミノ酸もしくは模倣体を含む、ペプチド。
【請求項２】
前記ペプチドが、１００未満のアミノ酸もしくは模倣体からなる、請求項１のペプチド。
【請求項３】
前記ペプチドが、３３アミノ酸もしくは模倣体からなる、請求項１のペプチド。
【請求項４】
前記ペプチドが、配列ＩＤ番号：１、配列ＩＤ番号：３、配列ＩＤ番号：４、配列ＩＤ番号：５、配列ＩＤ番号：６、配列ＩＤ番号：７、配列ＩＤ番号：８、配列ＩＤ番号：９、配列ＩＤ番号：１０、配列ＩＤ番号：１１、配列ＩＤ番号：１２、配列ＩＤ番号：１３、配列ＩＤ番号：１５、配列ＩＤ番号：１６、もしくは配列ＩＤ番号：１７を含む、請求項１のペプチド。
【請求項５】
前記ペプチドが、配列ＩＤ番号：１を含む、請求項１のペプチド。
【請求項６】
前記ペプチドが、配列ＩＤ番号：１、配列ＩＤ番号：３、配列ＩＤ番号：４、配列ＩＤ番号：５、配列ＩＤ番号：６、配列ＩＤ番号：７、配列ＩＤ番号：８、配列ＩＤ番号：９、配列ＩＤ番号：１０、配列ＩＤ番号：１１、配列ＩＤ番号：１２、配列ＩＤ番号：１３、配列ＩＤ番号：１５、配列ＩＤ番号：１６、もしくは配列ＩＤ番号：１７からなる、請求項１のペプチド。
【請求項７】
６８０未満のアミノ酸もしくは模倣体の単離精製ペプチドであって、該ペプチドが、配列ＩＤ番号（ＳＥＱ  ＩＤ  ＮＯ）：２を有する３３アミノ酸もしくは模倣体を含む、ペプチド。
【請求項８】
配列ＩＤ番号（ＳＥＱ  ＩＤ  ＮＯ）：１８を有する３３アミノ酸もしくは模倣体を含む、請求項７のペプチド。
【請求項９】
前記ペプチドが、１００未満のアミノ酸もしくは模倣体からなる、請求項７のペプチド。
【請求項１０】
前記ペプチドが、３３アミノ酸もしくは模倣体からなる、請求項７のペプチド。
【請求項１１】
前記ペプチドが、配列ＩＤ番号：１、配列ＩＤ番号：３、配列ＩＤ番号：４、配列ＩＤ番号：５、配列ＩＤ番号：６、配列ＩＤ番号：７、配列ＩＤ番号：８、配列ＩＤ番号：９、配列ＩＤ番号：１０、配列ＩＤ番号：１１、配列ＩＤ番号：１２、配列ＩＤ番号：１３、配列ＩＤ番号：１５、配列ＩＤ番号：１６、もしくは配列ＩＤ番号：１７を含む、請求項７のペプチド。
【請求項１２】
前記ペプチドが、配列ＩＤ番号：１を含む、請求項７のペプチド。
【請求項１３】
前記ペプチドが、配列ＩＤ番号：１、配列ＩＤ番号：３、配列ＩＤ番号：４、配列ＩＤ番号：５、配列ＩＤ番号：６、配列ＩＤ番号：７、配列ＩＤ番号：８、配列ＩＤ番号：９、配列ＩＤ番号：１０、配列ＩＤ番号：１１、配列ＩＤ番号：１２、配列ＩＤ番号：１３、配列ＩＤ番号：１５、配列ＩＤ番号：１６、もしくは配列ＩＤ番号：１７からなる、請求項７のペプチド。
【請求項１４】
炎症サイトカインカスケードにより媒介された病状を患っているか、もしくは、リスクにある哺乳類を処置するための医薬品の調製のための、請求項１のペプチドの使用。
【請求項１５】
ＴＮＦ−α、ＩＬ−１β、ＩＬ−６、ＩＬ−１８、もしくはＨＭＧＢ１レベルが、前記哺乳類において抑制されている、請求項１４の使用。
【請求項１６】
ＴＮＦ−α、ＩＬ−６、もしくはＨＭＧＢ１レベルが、前記哺乳類において抑制されている、請求項１４の使用。
【請求項１７】
前記病状が、虫垂炎、消化性潰瘍、胃潰瘍、もしくは十二指腸潰瘍、腹膜炎、膵炎、潰瘍性、偽膜性、急性、もしくは虚血性大腸炎、腸閉塞、憩室炎、喉頭蓋炎、無弛緩症、胆管炎、胆嚢炎、肝炎、クローン病、腸管炎、ホウィップル病、喘息、アレルギー、アナフィラキシーショック、免疫複合疾患、臓器虚血、再灌流障害、臓器壊死、枯草熱、敗血症、敗血、内毒素ショック、悪液質、超高熱、好酸球肉芽腫、肉芽腫症、類肉腫症、敗血症流産、副睾丸炎、膣炎、前立腺炎、尿道炎、気管支炎、気腫、鼻炎、膵嚢胞性繊維症、肺炎、肺胞炎、細気管支炎、咽頭炎、胸膜炎、副鼻腔炎、インフルエンザ、気道多核ウィルス感染、ヘルペス感染、ＨＩＶ感染、Ｂ型肝炎ウィルス感染、Ｃ型肝炎ウィルス感染、播種性菌血症、デング熱、カンジダ症、マラリア、糸状虫症、アメーバ症、包虫嚢胞、火傷、皮膚炎、皮膚筋炎、日焼け、蕁麻疹、疣、蕁麻疹、血管炎、脈管炎、心内膜炎、動脈炎、粥状（アテローム）硬化症、血栓性静脈炎、心膜炎、心筋炎、心筋虚血、結節性動脈周囲炎、リューマチ熱、アルツハイマー病、腹腔病、鬱血性心不全、成人呼吸困難症候群、髄膜炎、脳炎、多発性硬化症、脳梗塞、脳塞栓症、ギラン・バレー症候群、神経炎、神経痛、脊髄障害、麻痺、葡萄膜炎、関節炎、関節痛、骨髄炎、筋膜炎、パジェット病、痛風、歯周病、リューマチ関節炎、滑膜炎、重症筋無力症、甲状腺炎、全身エリテマトーデス狼瘡、グッドパスチャー症候群、ベーチェット症候群、移植拒絶、移植対宿主病、Ｉ型糖尿病、強直性脊椎炎、ＩＩ型糖尿病、強直性脊椎炎、バージャー病、ルティエ症候群、およびホジキン病である、請求項１４の使用。
【請求項１８】
前記病状が、虫垂炎、消化性潰瘍、胃潰瘍、もしくは十二指腸潰瘍、腹膜炎、膵炎、潰瘍性、偽膜性、急性、および虚血性大腸炎、肝炎、クローン病、喘息、アレルギー、アナフィラキシーショック、臓器虚血、再灌流障害、臓器壊死、枯草熱、敗血症、敗血、内毒素ショック、悪液質、敗血症流産、播種性菌血症、火傷、アルツハイマー病、腹腔病、鬱血性心不全、成人呼吸困難症候群、脳梗塞、脳塞栓症、脊髄障害、麻痺、移植拒絶、あるいは移植対宿主病である、請求項１４の使用。
【請求項１９】
前記病状が、敗血症、敗血、もしくは内毒素ショックである、請求項１４の使用。
【請求項２０】
前記病状が、消化性潰瘍、胃潰瘍、もしくは十二指腸潰瘍、潰瘍性、偽膜性、急性、もしくは虚血性大腸炎、腸閉塞、憩室炎、喉頭蓋炎、無弛緩症、胆管炎、胆嚢炎、クローン病、腸管炎、あるいはホウィップル病である、請求項１４の使用。
【請求項２１】
前記哺乳類が、ヒトである、請求項１４の使用。
【請求項２２】
哺乳類において、食欲を減退させ、食物摂取を減少させ、体重を減少させ、および／または、エネルギー変換を減少させるための医薬品の調製のための、請求項１のペプチドの使用。
【請求項２３】
哺乳類の消化器系における先天免疫を阻害するための医薬品の調製のための、請求項１のペプチドの使用。
【手続補正書】
【提出日】平成21年9月4日(2009.9.4)
【手続補正１】
【補正対象書類名】特許請求の範囲
【補正対象項目名】全文
【補正方法】変更
【補正の内容】
【特許請求の範囲】
【請求項１】
EphA2と特異的に結合する内在化抗体薬物コンジュゲート(ADC)であって、前記薬物が毒素である前記ADC。
【請求項２】
ADCが少なくともヒトEphA2、マウスEphA2、およびラットEphA2と特異的に結合する、請求項１に記載のADC。
【請求項３】
ADCがスペーサーおよびリンカーを含む、請求項１または２に記載のADC。
【請求項４】
リンカーがマレイミドカプロイル-シトルリン・リンカーまたはバリン-シトルリン・リンカーである、請求項３に記載のADC。
【請求項５】
毒素が抗チューブリン薬である、請求項１に記載のADC。
【請求項６】
抗チューブリン薬がアウリスタチンである、請求項５に記載のADC。
【請求項７】
アウリスタチンがアウリスタチンEまたはアウリスタチンFである、請求項６に記載のADC。
【請求項８】
アウリスタチンがモノメチルアウリスタチンF（MMAF）またはモノメチルアウリスタチンE（MMAE）である、請求項７に記載のADC。
【請求項９】
ａ．12G3H11、B233、B208、B210、G5、10C12、4H5、10G9、3F2、1C1、1F12、1H3、1D3、2B12、または5A8の可変重鎖（VH）ドメインのアミノ酸配列を有するVHドメイン；
ｂ．12G3H11、B233、B208、B210、G5、10C12、4H5、10G9、3F2、1C1、1F12、1H3、1D3、2B12、または5A8の可変軽鎖（VL）ドメインのアミノ酸配列を有するVLドメイン；あるいは
ｃ．12G3H11、B233、B208、B210、G5、10C12、4H5、10G9、3F2、1C1、1F12、1H3、1D3、2B12、または5A8の可変重鎖（VH）ドメインのアミノ酸配列を有するVHドメインおよび12G3H11、B233、B208、B210、G5、10C12、4H5、10G9、3F2、1C1、1F12、1H3、1D3、2B12、または5A8の可変軽鎖（VL）ドメインのアミノ酸配列を有するVLドメインを含むADCであって、EphA2ポリペプチドと特異的に結合する、請求項１に記載のADC。
【請求項１０】
12G3H11、B233、B208、B210、G5、10C12、4H5、10G9、3F2、1C1、1F12、1H3、1D3、2B12、または5A8の相補性決定領域（CDR）のアミノ酸配列を有するCDRを含むADCであって、EphA2ポリペプチドと特異的に結合する、請求項１に記載のADC。
【請求項１１】
ａ．12G3H11、B233、B208、B210、G5、10C12、4H5、10G9、3F2、1C1、1F12、1H3、1D3、2B12、または5A8のVH CDRのアミノ酸配列を有するVH CDR；
ｂ．12G3H11、B233、B208、B210、G5、10C12、4H5、10G9、3F2、1C1、1F12、1H3、1D3、2B12、または5A8のVL CDRのアミノ酸配列を有するVL CDR；あるいは
ｃ．12G3H11、B233、B208、B210、G5、10C12、4H5、10G9、3F2、1C1、1F12、1H3、1D3、2B12、または5A8のVH CDRのアミノ酸配列を有するVH CDR、および12G3H11、B233、B208、B210、G5、10C12、4H5、10G9、3F2、1C1、1F12、1H3、1D3、2B12、または5A8のVL CDRのアミノ酸配列を有するVL CDR
を含む、請求項１０に記載のADC。
【請求項１２】
ａ．12G3H11、B233、B208、B210、G5、10C12、4H5、10G9、3F2、1C1、1F12、1H3、1D3、2B12、または5A8のVH CDR1のアミノ酸配列を有するVH CDR1；
ｂ．12G3H11、B233、B208、B210、G5、10C12、4H5、10G9、3F2、1C1、1F12、1H3、1D3、2B12、または5A8のVH CDR2のアミノ酸配列を有するVH CDR2；
ｃ．12G3H11、B233、B208、B210、G5、10C12、4H5、10G9、3F2、1C1、1F12、1H3、1D3、2B12、または5A8のVH CDR3のアミノ酸配列を有するVH CDR3；
ｄ．12G3H11、B233、B208、B210、G5、10C12、4H5、10G9、3F2、1C1、1F12、1H3、1D3、2B12、または5A8のVL CDR1のアミノ酸配列を有するVL CDR1；
ｅ．12G3H11、B233、B208、B210、G5、10C12、4H5、10G9、3F2、1C1、1F12、1H3、1D3、2B12、または5A8のVL CDR2のアミノ酸配列を有するVL CDR2；あるいは
ｆ．12G3H11、B233、B208、B210、G5、10C12、4H5、10G9、3F2、1C1、1F12、1H3、1D3、2B12、または5A8のVL CDR3のアミノ酸配列を有するVL CDR3を含む、請求項１１に記載のADC。
【請求項１３】
1C1のVHドメインのアミノ酸配列および1C1のVLドメインのアミノ酸配列を含む、請求項１に記載のADC。
【請求項１４】
1C1のVH CDR1、VH CDR2、VH CDR3、VL CDR1、VL CDR2およびVL CDR３を含む、請求項１に記載のADC。
【請求項１５】
請求項１〜１４のいずれかのADCのヒト、ヒト化またはキメラ・バージョンの重鎖可変ドメインまたは軽鎖可変ドメインをコードするヌクレオチド配列を含む単離された核酸。
【請求項１６】
請求項１５に記載の核酸を含むベクター。
【請求項１７】
請求項１６に記載のベクターを含む宿主細胞。
【請求項１８】
それを必要とする患者における癌を治療する方法であって、前記患者に請求項１〜１４のいずれかのADCの治療上有効な量を投与することを含んでなる前記方法。
【請求項１９】
投与が、無処置の癌細胞中のEphA2リン酸化のレベルと比較して癌細胞中のEphA2リン酸化を増加する、請求項１８に記載の方法。
【請求項２０】
癌が上皮細胞起源である、請求項１９に記載の方法。
【請求項２１】
癌が、癌細胞の組織型を有する非癌細胞と比較してEphA2を過剰発現する細胞を含む、請求項２０に記載の方法。
【請求項２２】
癌が皮膚、肺、結腸、乳房、前立腺、膀胱、腎臓、または膵臓の癌であるか、または腎細胞癌または黒色腫である、請求項２０に記載の方法。
【請求項２３】
癌が転移性癌である、請求項１８に記載の方法。
【請求項２４】
EphA2抗体でない抗癌療法のさらなる投与を含んでなる、請求項１８に記載の方法。
【請求項２５】
抗癌療法が化学療法、生物学的療法、免疫療法、放射線療法、ホルモン療法および手術からなる群より選択される、請求項２４に記載の方法。
【請求項２６】
請求項１〜１４のいずれかに記載のADCおよび製薬上許容される担体の治療上有効な量を含む医薬組成物。
【請求項２７】
EphA2抗体でない抗癌薬を含む請求項２６に記載の医薬組成物。
【請求項２８】
抗癌薬が化学治療薬、放射線治療薬、ホルモン治療薬、生物学的治療薬または免疫治療薬である、請求項２７に記載の医薬組成物。
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
列車の運転を制御するのに用いるために少なくとも２つの機関車を含む該列車の機関車の対地速度を決定する方法であって、
前記列車のいずれか１つの機関車の車軸を選択して該選択車軸に対応する速度を測定するようにする段階と、
前記１つの機関車の選択車軸に対応する測定速度に基づいて前記列車の少なくとも別の機関車の対地速度を決定する段階と、
を含む方法。
【請求項２】
前記決定対地速度を用いて前記機関車のそれぞれの牽引力を制御するようにする段階をさらに含む、請求項１記載の方法。
【請求項３】
前記決定対地速度を用いて機関車事象記録計に入力するようにする段階をさらに含む、請求項１記載の方法。
【請求項４】
前記決定対地速度を用いて機関車機関手室信号システムに入力するようにする段階をさらに含む、請求項１記載の方法。
【請求項５】
前記機関車間の運転特性差に基づいて前記列車の機関車の決定対地速度を補正する段階をさらに含む、請求項１記載の方法。
【請求項６】
前記補正する段階が、
前記列車の機関車のそれぞれの車軸に対応するそれぞれの測定速度間の差を判定する段階と、
異なるそれぞれの測定速度を補正するスケーリング係数を生成する段階と、
をさらに含む、請求項５記載の方法。
【請求項７】
前記補正する段階が、
前記機関車間の過渡対地速度差を判定する段階と、
前記過渡対地速度差になる機関車の運転特性差を無視する段階と、
をさらに含む、請求項５記載の方法。
【請求項８】
列車の運転を制御するのに用いるために少なくとも２つの機関車を含む列車の機関車の対地速度を決定するためのシステムであって、
それぞれの動作状態センサ信号を提供する前記列車の機関車のそれぞれの車軸に関連する複数の動作状態センサと、
前記それぞれの動作状態センサ信号を受信しかつ前記それぞれの動作状態信号に基づいて前記列車のいずれか１つの機関車の車軸を選択して該選択車軸に関連する速度を測定するように構成されたプロセッサと、
前記第１のプロセッサの車軸選択に応答して前記選択車軸に対応する速度を測定しかつ測定速度信号を提供する速度センサと、を含み、
前記プロセッサが、前記測定速度信号を受信しかつ前記測定速度に基づいて前記列車の少なくとも別の機関車の対地速度を決定するようにさらに構成される、
システム。
【請求項９】
前記速度センサが、前記動作状態センサの１つである、請求項８記載のシステム。
【請求項１０】
列車の運転を制御するのに用いるために少なくとも２つの機関車を含む列車の機関車の対地速度を決定するためのプログラム命令を含むコンピュータ可読媒体であって、
前記列車のいずれか１つの機関車の車軸を選択して該選択車軸に対応する速度を測定するようにするためのコンピュータプログラムコードと、
前記１つの機関車の選択車軸に対応する測定速度に基づいて前記列車の少なくとも別の機関車の対地速度を決定するためのコンピュータプログラムコードと、
を含むコンピュータ可読媒体。
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
少なくとも１本の通信ケーブルを受容するエンクロージャであって、
内部キャビティを画定する閉鎖可能なハウジングであって、開放位置と閉鎖位置とを有するハウジングと、
ハウジングの内部キャビティ内に設けられたピボットトレイであって、ハウジングが開放位置にあるときに、固定位置と、非固定位置との間で回動可能であるピボットトレイと、を備え、
上記固定位置において、トレイは、ピボットトレイの第１の側に第１の区画をなすと共に、ピボットトレイの第２の側に第２の区画をなし、
ハウジングが開放位置にあり、且つ、ピボットトレイが固定位置にあるときに、第２の区画のみがアクセス可能であり、
スプライストレイは、ピボットトレイの第１の側に固定されており、
コネクタを取り付ける特徴部分は、ピボットトレイの第２の側に固定されている、エンクロージャ。
【請求項２】
更に、上記ピボットトレイの第２の側における上記コネクタを取り付ける特徴部分に設けられた、差し込み可能なコネクタを備える、請求項１に記載のエンクロージャ。
【請求項３】
開放第１末端部から閉鎖第２末端部まで長手方向に延在するハウジングであって、該長手方向に延在する内部キャビティを画定し、該内部キャビティは上記長手方向に対して横断する方向に外周形状を有する、ハウジングと、
密閉構成を提供するべくハウジングの開放第１末端部へ装着するよう構成された基部部材であって、そこを少なくとも１本の通信ケーブルが通過するよう構成された少なくとも１つの引き込み口を画定する基部部材と、
該基部部材に接続されるサポートバスケットであって、上記密閉構成においてハウジングの上記内部キャビティ内で長手方向に延在し、該内部キャビティの外周形状に実質的に合うように形成されたサポートバスケットと、
サポートバスケットに回動可能に設けられたピボットトレイであって、該ピボットトレイの第１の側とサポートバスケットとの間に閉鎖区画をなすと共に、該閉鎖区画の反対側に位置するピボットトレイの第２の側に設けられた終端区画をなす、ピボットトレイと、を備える、エンクロージャ。
【請求項４】
上記ピボットトレイは、該ピボットトレイの上記第１の側にスプライストレイを備えると共に、該ピボットトレイの上記第２の側にコネクタを取り付ける特徴部分を備える、請求項３に記載のエンクロージャ。
【請求項５】
少なくとも１本の通信ケーブルを受容するエンクロージャであって、
内部キャビティをなす閉鎖可能なハウジングと、
該ハウジングの内部キャビティ内に設けられたサポートバスケットであって、平坦なスプライストレイと、蝶番式スプライストレイと、光学／電子コンポーネントと、選択的に使用可能に構成されたサポートバスケットと、
該サポートバスケットに固定されたサポートバンドであって、該サポートバンドとサポートバスケットとは協働してハウジングの壁部のゆがみを制限する、サポートバンドと、
サポートバスケットに回動可能に固定されたピボットトレイであって、ハウジングの内部キャビティ内に第１の区画と第２の区画とをなすピボットトレイと、を備える、エンクロージャ。
【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
再充電可能な蓄電池及びケース外壁（４）に面した接触子（３）を有する懐中電灯（１）にあって、バッテリー充電器（２）との閉回路が、これらの接触子を通じて構成可能であり、このバッテリー充電器は、乗用車のコンセント又はトラックのコンセントに接続するためのアダプタープラグ、特にタバコ点火器の収容ソケット（８）を有し、この場合、前記バッテリー充電器（２）は、深鍋形のケース（６）又は鞘形のケース（６）であり、このケース（６）の内側部分の接触子（７）が、前記懐中電燈（１）の前記ケース外壁（４）の前記接触子（３）に接触するように、この懐中電燈（１）が、このケース（６）内に差し込み可能である前記懐中電燈（１）において、
前記バッテリー充電器（２）の前記深鍋形のケース（６）又は鞘形のケース（６）は、外側にある接触子（５，５′）を有し、これらの接触子（５，５′）が、前記収容ソケット（８）の対応する接触収容部内に係合するように、この深鍋形のケース（６）又は鞘形のケース（６）は、これらの接触子（５，５′）によってタバコ点火器の前記収容ソケット（８）内に差し込み可能であることを特徴とする懐中電燈（１）。
【請求項２】
前記懐中電燈のケース（４）は、ほぼシリンダ形であり、このケース（４）の一部だけが、差し込まれた位置で前記バッテリー充電器（２）の前記鞘形のケース（６）から突き出ることを特徴とする請求項１に記載の懐中電燈（１）。
【請求項３】
光源は、発光ダイオードであることを特徴とする請求項１又は２に記載の懐中電燈（１）。
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
平版印刷の刷版のインク被覆領域上の画像アーチファクトを軽減する方法であって：
インク被覆ピクセル値を含むデジタル画像データを提供し；
前記デジタル画像データに変換を適用することによってインク被覆ピクセル値を所定量だけ低下させ；
変換されたデジタル画像データを使って刷版を像形成することを含む、方法。
【請求項２】
請求項１記載の方法を使って像形成された刷版。
【請求項３】
平版刷版の刷版のインク被覆領域の画像アーチファクトを軽減する装置であって：
受領されたデジタル画像データに変換を適用して、前記デジタル画像データに含まれるインク被覆ピクセル値を所定量だけ低下させるよう動作可能なプロセッサと；
前記プロセッサと電気通信しており、変換されたデジタル画像データを使って刷版を像形成するよう動作可能である像形成装置とを有する装置。
【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
機器であって、
制御信号を生成する装置、
前記装置を照射する手段、及び
制御部、を有し、前記制御部は、前記制御信号を第１の信号として読み取る第１の動作モード、及び前記照射する手段を活性化し、前記機器と結合されたディスプレイに表示された第１の所定の接続を選択するために前記制御信号を前記第１の信号と異なる第２の信号として読み取る第２の動作モードとを有する、機器。
【請求項２】
方法であって、デジタル・テレビジョンで用いられ、前記方法は、
（ａ）ボタン装置に第１のモードを設定する段階、
（ｂ）前記第１のモードでは前記ボタン装置は第１の制御機能を提供するために用いら
れ、第１の色を前記ボタン装置に表示させる段階、
（ｃ）前記ボタン装置を第２のモードに設定する段階、及び
（ｄ）少なくとも４つの異なる色を前記ボタン装置に表示させる段階、を有し、
前記第２のモードでは前記ボタン装置は前記デジタル・テレビジョンに提示された双方
向アプリケーションと相互作用する第２の機能を提供するために用いられ、及び前記４つの異なる色のそれぞれは異なる双方向機能に関連付けられ、前記第１の制御機能は前記第２の制御機能と異なる、方法。
【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
物質を保存及び分配するシステムであって、前記システムが
前側末端部及び後側末端部を有する少なくとも１つの区画と、
前記区画内で間隔を空けて、前記区画内に容積部を形成するように適合されるとともに、前記区画内で軸方向に可動であるように更に適合された、前側プラグ及び変位可能なピストンと、
前記後側末端部付近の通気孔とを含み、
前記通気孔及び前記前側プラグが、その初期の位置において所定の容積部を形成する、
物質を保存及び分配するシステム。
【請求項２】
該通気孔が環状通気溝を含む、請求項１に記載のシステム。
【請求項３】
該プラグ及び／又は該ピストンが、該プラグ及び／又はピストンの前側末端部及び後側末端部それぞれに隣接して、少なくとも第１及び第２の環状封止突出部を含み、該ピストンの該第１及び第２の封止突出部が、互いから間隔を空けて空間を形成することによって、該容積部内の余分な物質を少なくとも部分的に該空間内に収容する、請求項１または２に記載のシステム。
【請求項４】
歯科用流体薬剤が酵素虫歯除去溶液である、請求項１〜３のいずれか１項に記載のシステム。
【請求項５】
保存及び分配するシステムを充填し封止する方法であって、前記方法が、
ｉ）区画内部の初期の位置にプラグを有する区画を提供する工程と、
ｉｉ）少なくとも通気孔まで、前記後側末端部から前記区画を物質で充填する工程であって、前記プラグの前記初期の位置と前記通気孔が所定の容積部を形成する工程と、
ｉｉｉ）ピストンを前記区画内の後側末端部に配置する工程と、
ｉｖ）前記物質の前記所定の容積部が前記ピストンと前記プラグの間に封止されるまで、前記ピストンを更に前進させる工程とを含み、前記前進の少なくとも一部の間、前記通気孔を通して空気が逃げることができる、保存及び分配するシステムを充填し封止する方法。
【請求項６】
工程ｉｉｉ）と工程ｉｖ）の間に、前記通気孔を越えて充填された余分な前記物質が前記通気孔を通して逃げることができることによって、前記ピストンと前記プラグとの間に前記物質の前記所定の容積部が密閉される、請求項５に記載の方法。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
VYGFVRACL−HLA-A24への特異的結合性を有する単離Ｔ細胞レセプター(TCR)。
【請求項２】
VYGFVRACL−HLA-A24への特異的結合性を有する非天然TCR。
【請求項３】
HLA-A*2402サブタイプに関連して提示されるテロメラーゼ由来VYGFVRACLペプチドへの特異的結合性を有する、請求項１又は２に記載のＴ細胞レセプター(TCR)。
【請求項４】
TCRがVYGFVRACL−HLA-A*2402複合体に対して５μMかそれより少ないKDを有することを特徴とする、請求項１に記載の単離TCR又は請求項２に記載の非天然TCR。
【請求項５】
配列番号20及び/又は配列番号12に示される相補性決定領域(CDR)を含んでなる請求項１又は２に記載の単離TCR。
【請求項６】
配列番号２及び配列番号３を含んでなる請求項１〜５のいずれか１項に記載のTCR。
【請求項７】
配列番号19及び配列番号３を含んでなる請求項１〜６のいずれか１項に記載のTCR。
【請求項８】
配列番号15及び配列番号16を含んでなる請求項１〜６のいずれか１項に記載のTCR。
【請求項９】
配列番号20及び配列番号16を含んでなる請求項１〜５及び７のいずれか１項に記載のTCR。
【請求項１０】
膜貫通配列を含まない請求項１〜９のいずれか１項に記載のTCR。
【請求項１１】
二量体Ｔ細胞レセプター(dTCR)又は単鎖Ｔ細胞レセプター(scTCR)である、請求項１〜１０のいずれか１項に記載のTCR。
【請求項１２】
TCRα鎖可変領域配列に相当する配列がTCRα鎖定常ドメイン細胞外配列に相当する配列のＮ末端に融合している第１のポリペプチドと、
TCRβ鎖可変領域配列に相当する配列がTCRβ鎖定常ドメイン細胞外配列に相当する配列のＮ末端に融合している第２のポリペプチドと
を含んでなり、
第１及び第２のポリペプチドが、TRAC*01のエキソン１のThr 48及びTRBC1*01若しくはTRBC2*01のエキソン１のSer 57、又はそれらの非ヒト等価物から置換したシステイン残基同士間のジスルフィドにより連結しているdTCR又はscTCRである、請求項１〜１１のいずれか１項に記載のTCR。
【請求項１３】
治療剤又は検出可能な成分と組み合わされている請求項１〜１２のいずれか１項に記載のTCR。
【請求項１４】
請求項１〜１３のいずれかに記載の少なくとも２つのTCRを含んでなる多価TCR複合体。
【請求項１５】
請求項１〜９、１１及び１２のいずれか１項に記載のTCRを提示するようにトランスフェクトした、ヒトＴ細胞又はヒト造血幹細胞である細胞。
【請求項１６】
請求項１〜１２のいずれか１項に記載のTCRをコードする核酸。
【請求項１７】
請求項１〜１４のいずれか１項に記載のTCR又は多価TCR複合体、又は請求項１５に記載の複数の細胞、又は請求項１６に記載の核酸を、医薬的に許容されるキャリアと共に含んでなる医薬組成物。
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
配列番号４、５、８〜１１からなる群から選択されたアミノ酸配列を含む、実質的に純粋なペプチド。
【請求項２】
以下の状態：疲労、栄養障害、代謝障害、脂質代謝障害、アシドーシス、免疫活性、放射線作用、肝炎、移植臓器拒絶、癌増殖および食欲の少なくとも１種を調節する、請求項１に記載の実質的に純粋なペプチド。
【請求項３】
前記栄養障害が、以下の状態：肝グリコーゲン貯蔵、血中乳酸量、血中脂質量、トリグリセリド量および総コレステロール量、肥満、ならびに体重過多の少なくとも１種を含む、請求項２に記載の実質的に純粋なペプチド。
【請求項４】
前記代謝障害が、以下の状態：肝グリコーゲン貯蔵、血中乳酸量、血中脂質量、トリグリセリド量および総コレステロール量、肥満、ならびに体重過多の少なくとも１種を含む、請求項２に記載の実質的に純粋なペプチド。
【請求項５】
前記脂質代謝が、以下の状態：血中脂質量、トリグリセリド量および総コレステロール量、肥満、ならびに体脂肪過多の少なくとも１種を含む、請求項２に記載の実質的に純粋なペプチド。
【請求項６】
前記アシドーシスが、以下の状態：高血中乳酸量（複数）の少なくとも１種を含む、請求項２に記載の実質的に純粋なペプチド。
【請求項７】
免疫活性の前記調節が、以下の状態：放射線療法誘発免疫不全症、免疫過敏症、Ｔリンパ球増殖、および混合リンパ球増殖の少なくとも１種の調節を含む、請求項２に記載の実質的に純粋なペプチド。
【請求項８】
前記癌増殖が、以下の癌：肝癌および胃癌の少なくとも１種を含む、請求項２に記載の実質的に純粋なペプチド。
【請求項９】
配列番号４、５、８〜１１からなる群から選択されたアミノ酸配列からなる、請求項１に記載の実質的に純粋なペプチド。
【請求項１０】
以下の状態：疲労、栄養障害、代謝障害、脂質代謝障害、アシドーシス、免疫活性、放射線作用、肝炎、移植臓器拒絶、癌増殖および食欲の少なくとも１種を調節する、請求項９に記載の実質的に純粋なペプチド。
【請求項１１】
配列番号４、５、８〜１１からなる群から選択されたアミノ酸配列を有する生物活性ペプチドの機能的誘導体を含む、請求項１に記載の実質的に純粋なペプチド。
【請求項１２】
以下の状態：疲労、栄養障害、代謝障害、脂質代謝障害、アシドーシス、免疫活性、放射線作用、肝炎、移植臓器拒絶、癌増殖および食欲の少なくとも１種を調節する、請求項１１に記載の実質的に純粋なペプチド。
【請求項１３】
配列番号４、５、８〜１１からなる群から選択されたアミノ酸配列を有する生物活性ペプチドの機能的誘導体からなる、請求項１１に記載の実質的に純粋なペプチド。
【請求項１４】
以下の状態：疲労、栄養障害、代謝障害、脂質代謝障害、アシドーシス、免疫活性、放射線作用、肝炎、移植臓器拒絶、癌増殖および食欲の少なくとも１種を調節する、請求項１３に記載の実質的に純粋なペプチド。
【請求項１５】
配列番号４、５、８〜１１からなる群から選択されたアミノ酸配列を有する生物活性ペプチドの強化誘導体を含む分子であって、前記強化誘導体が、前記生物活性ペプチドに作動可能に連結した強化分子を含み、前記強化分子が、前記生物活性ペプチドの治療有効性を強化する、強化誘導体を含む分子。
【請求項１６】
配列番号４、５、８〜１１からなる群から選択されたアミノ酸配列を含んだペプチドをコードする、ヌクレオチド配列を含む遺伝子ベクター。
【請求項１７】
配列番号４、５、８〜１１からなる群から選択されたアミノ酸配列を含んだペプチドをコードする、核酸配列を含む遺伝子組成物を有する微生物。
【請求項１８】
配列番号４、５、８〜１１からなる群から選択されたアミノ酸配列を含んだ実質的に純粋なペプチドを含む、医薬組成物。
【請求項１９】
配列番号４、５、８〜１１からなる群から選択されたアミノ酸配列を有する生物活性ペプチドの使用であって、ヒト疾患の作用を低下させるための医薬の製造における使用。
【請求項２０】
前記ヒトが、以下の状態：疲労、栄養障害、代謝障害、脂質代謝障害、アシドーシス、免疫活性、放射線作用、肝炎、移植臓器拒絶、癌増殖および食欲の少なくとも１種に罹っている、請求項１９に記載の使用。
【請求項２１】
以下の状態：個人の疲労、肝グリコーゲン貯蔵量、血中乳酸量および免疫反応の少なくとも１種を調節する医薬の製造における、配列番号１を含むアミノ酸配列を有する生物活性ペプチドまたはその機能的誘導体の使用。
【請求項２２】
肝炎を治療する医薬の製造における、配列番号２もしくは１５を含むアミノ酸配列を有する生物活性ペプチドまたはその機能的誘導体の使用。
【請求項２３】
疲労を軽減する医薬の製造における、配列番号３を含むアミノ酸配列を有する生物活性ペプチドまたはその機能的誘導体の使用。
【請求項２４】
以下の状態：炎症、食欲、体重、体脂肪、血中脂質量、血中トリグリセリド量、血中コレステロール量、炎症および免疫の少なくとも１種を調節する医薬の製造における、配列番号２１を含むアミノ酸配列を有する生物活性ペプチドまたはその機能的誘導体の使用。
【請求項２５】
個人の免疫系を調節する医薬の製造における、配列番号７を含むアミノ酸配列を有する生物活性ペプチドまたはその機能的誘導体の使用。